(57)【要約】【課題】分析ディスクに配置した分析対象物に対して正確でかつユーザ利便性の高い画像構築を行うことができる分析システムを提供する。【解決手段】分析対象物１とディスク回転方向に対する分析対象物１の長さである横幅を示すマーキング１１とを配置した分析ディスク１２を回転させるディスクモータ１３と、マーキング１１を検出するマーキング検出器１４と、分析ディスク１２に光を照射するとともにトレースを行うピックアップ１５と、検出した光をマーキング検出期間だけデータ変換してトレースデータを得るデータ変換手段１６と、１トラック分のトレースデータにマーキングの横幅情報を付加するデータ処理手段１８と、マーキング横幅情報が付加されたマーキングデータを基にマーキングの横幅を画像の横幅として画像構築を行う画像処理手段２１と、画像に基づき分析する画像分析手段２３とを備える。【選択図】    図１
2004198267.tif 000002
【特許請求の範囲】
【請求項１】
状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、
前記マーキングの所在を検出するマーキング検出器と、
前記分析ディスクに光を照射する照射手段と、
前記分析ディスクのトレースを行うトレース手段と、
前記トレース手段により検出した反射光または透過光を前記マーキング検出器の出力によって前記マーキングを検出した期間だけデータ変換してトレースデータを得るデータ変換手段と、
前記マーキングの１トラック分のトレースデータにマーキングの横幅に関する横幅情報を付加するデータ処理手段と、
前記マーキング横幅情報が付加されたマーキングデータを基にマーキングの横幅を画像の横幅として画像構築を行う画像処理手段と、
構築された画像に基づいて前記分析対象物を分析する画像分析手段と
を備えたことを特徴とする分析システム。
【請求項２】
データ処理手段は、マーキングの１トラック分のトレースデータに、そのデータの開始と終了を示すデータを付加することを特徴とする請求項１記載の分析システム。
【請求項３】
マーキングの所在を検出するマーキング検出器の出力に基づいてマーキングの横幅を算出するマーキング情報処理手段を備え、
データ処理手段は、データ変換手段により抽出したトレースデータに前記マーキング情報処理手段により得たマーキング横幅情報を付加するように構成したことを特徴とする請求項１記載の分析システム。
【請求項４】
データ処理手段により、最初の１トラック分のトレースデータだけにマーキング横幅情報を付加することを特徴とする請求項３に記載の分析システム。
【請求項５】
状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、
前記マーキングの所在を検出するマーキング検出器と、
前記分析ディスクに光を照射する照射手段と、
前記分析ディスクのトレースを行うトレース手段と、
前記トレース手段により検出した反射光または透過光を前記マーキング検出器の出力によって前記マーキングを検出した期間だけデータ変換してトレースデータを得るデータ変換手段と、
マーキングの所在を検出するマーキング検出器の出力に基づいてマーキングの横幅を算出するマーキング情報処理手段と、
前記マーキング情報処理手段からのマーキング横幅情報に基づく横幅に対応する転送長のトレースデータの転送を要求するデータ転送要求手段と、
前記データ転送要求手段の要求に応じて、前記マーキング横幅情報およびホストコンピュータ要求長の前記トレースデータを転送するデータ転送手段と、
前記データ転送要求手段により転送されたトレースデータである再生データを画像の１行として画像構築を行う画像処理手段と、
構築された画像に基づいて前記分析対象物を分析する画像分析手段と
を備えたことを特徴とする分析システム。
【請求項６】
状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、
前記マーキングの所在を検出するマーキング検出器と、
前記分析ディスクに光を照射する照射手段と、
前記分析ディスクのトレースを行うトレース手段と、
前記トレース手段により検出した反射光または透過光を前記マーキング検出器の出力によって前記マーキングを検出した期間だけデータ変換してトレースデータを得るデータ変換手段と、
マーキングの横幅情報をユーザが手動で入力可能な入力手段と、
このマーキング横幅情報に基づく横幅に対応する転送長のトレースデータの転送を要求するデータ転送要求手段と、
このデータ転送要求手段の要求に応じて、前記マーキング横幅情報および前記要求長の前記トレースデータを転送するデータ転送手段と、
前記データ転送要求手段により転送されたトレースデータである再生データを画像の１行として画像構築を行う画像処理手段と、
構築された画像に基づいて前記分析対象物を分析する画像分析手段と
を備えたことを特徴とする分析システム。
【請求項７】
状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、
前記マーキングの所在を検出するマーキング検出器と、
前記分析ディスクに光を照射する照射手段と、
前記分析ディスクのトレースを行うトレース手段と、
前記トレース手段により検出した反射光または透過光を前記マーキング検出器の出力によって前記マーキングを検出した期間だけデータ変換してトレースデータを得るデータ変換手段と、
マーキング検出器の出力信号のマーキングを検出した時間であるマーキング検出時間を測定するマーキング情報処理手段と、
前記マーキング情報処理手段からのマーキング検出時間に基づく横幅に対応する転送長のトレースデータの転送を要求するデータ転送要求手段と、
前記データ転送要求手段の要求に応じて、前記マーキング横幅情報および前記要求長の前記トレースデータを転送するデータ転送手段と、
前記データ転送要求手段により転送されたトレースデータである再生データを画像の１行として画像構築を行う画像処理手段と、
構築された画像に基づいて前記分析対象物を分析する画像分析手段と
を備えたことを特徴とする分析システム。
【請求項８】
状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、
前記マーキングの所在を検出するマーキング検出器と、
前記分析ディスクに光を照射する照射手段と、
前記分析ディスクのトレースを行うトレース手段と、
前記トレース手段により検出した反射光または透過光を前記マーキング検出器の出力によって前記マーキングを検出した期間だけデータ変換してトレースデータを得るデータ変換手段と、
前記分析ディスクにおける前記マーキングの個数を計数するマーキング情報処理手段と、
前記マーキング情報処理手段により計数したマーキングの個数の情報であるマーキング個数情報および１つのマーキングに対応した分析ディスクの領域の再生データを１回の転送データとしてホストコンピュータに転送するデータ転送手段と、
前記データ転送手段により転送された再生データを前記マーキングの個数情報に基づいて各マーキングに対応する領域ごとにホストコンピュータの記憶装置に別々のファイルとしてファイル保存するファイル保存手段と
を備えたことを特徴とする分析システム。
【請求項９】
状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、
前記マーキングの所在を検出するマーキング検出器と、
前記分析ディスクに光を照射する照射手段と、
前記分析ディスクのトレースを行うトレース手段と、
前記トレース手段により検出した反射光または透過光を前記マーキング検出器の出力によって前記マーキングを検出した期間だけデータ変換してトレースデータを得るデータ変換手段と、
前記分析ディスクにおける前記マーキングの個数を計数するとともにマーキングの横幅の測定を行うマーキング情報処理手段と、
前記マーキング情報処理手段により計数したマーキング個数情報及びマーキングの横幅情報を転送するとともに、１つのマーキングに対応した分析ディスクの領域の再生データを１回の転送データとしてホストコンピュータに転送するデータ転送手段と、
前記データ転送手段により転送された再生データを前記マーキングの個数情報に基づいて各マーキングに対応する領域ごとにホストコンピュータの記憶装置に別々のファイルとしてファイル保存するファイル保存手段と
を備えたことを特徴とする分析システム。
【請求項１０】
状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、
前記マーキングの所在を検出するマーキング検出器と、
前記分析ディスクに光を照射する照射手段と、
前記分析ディスクのトレースを行うトレース手段と、
前記トレース手段により検出した反射光または透過光を前記マーキング検出器の出力によって前記マーキングを検出した期間だけデータ変換してトレースデータを得るデータ変換手段と、
マーキングにその番号であるマーキング番号を付与するマーキング情報処理手段と、
１つのマーキングに対応した分析ディスクの領域の再生データとマーキングのマーキング番号を１回の転送データとしてホストコンピュータへ転送するデータ転送手段と、
前記データ転送手段により転送された再生データを前記マーキング番号に基づいて各マーキングに対応する領域ごとにホストコンピュータの記憶装置に別々のファイルとしてファイル保存するファイル保存手段と
を備えたことを特徴とする分析システム。
【請求項１１】
記録領域と未記録領域でディスクの記録面の色素が変化し、視覚的に色素の変化を目視することが可能である分析ディスクに、状態分析ならびに画像分析を行う対象である分析対象物と前記分析対象物の所在ならびに横幅を示すマーキングとを配置し、前記分析ディスクを回転させるディスクモータと、
前記マーキングの所在を検出するマーキング検出器と、
前記分析ディスクに光を照射する照射手段と、
前記分析ディスクのトレースを行うトレース手段と、
前記トレース手段により検出した反射光または透過光を前記マーキング検出器の出力によって前記マーキングを検出した期間だけデータ変換してトレースデータを得るデータ変換手段と、
前記ピックアップの出力からアドレス情報を検出するアドレス検出手段と、
前記マーキング検出器の出力により前記マーキングの個数を計数し、前記アドレス検出手段が検出したアドレス情報および前記マーキングの個数情報を基に前記マーキングにマーキング番号を付与するマーキング情報処理手段と、
前記マーキング情報処理手段により計数したマーキング個数情報および１つのマーキングに対応した分析ディスクの領域の再生データを１回の転送データとして転送するデータ転送手段と、
前記マーキング番号を基に各マーキングに対応した前記分析ディスクの領域の再生データを記憶装置に別々のファイルとしてファイル保存するファイル保存手段と、
前記マーキング番号に対応した各マーキングの領域に番号を目視できるように前記ピックアップから出力されるレーザのパワーを制御してマーキングの番号を分析ディスクに描画するレーザ制御手段と
を備えたことを特徴とする分析システム。
【請求項１２】
レーザ制御手段は、マーキング番号に対応した最初のマーキングの領域のみに番号を目視できるようにピックアップから出力されるレーザのパワーを制御してマーキングの番号を分析ディスクに描画することを特徴とする請求項１１に記載の分析システム。
【請求項１３】
記録領域と未記録領域でディスクの記録面の色素が変化し、視覚的に色素の変化を目視することが可能である分析ディスクに、状態分析ならびに画像分析を行う対象である分析対象物と前記分析対象物の所在ならびに横幅を示すマーキングとを配置し、前記分析ディスクを回転させるディスクモータと、
前記マーキングの所在を検出するマーキング検出器と、
前記分析ディスクに光を照射する照射手段と、
前記分析ディスクのトレースを行うトレース手段と、
前記トレース手段により検出した反射光または透過光を前記マーキング検出器の出力によって前記マーキングを検出した期間だけデータ変換してトレースデータを得るデータ変換手段と、
前記ピックアップの出力からアドレス情報を検出するアドレス検出手段と、
前記ディスクモータのＦｒｅｑｕｅｎｃｙ  Ｇｅｎｅｒａｔｏｒ信号を基に前記マーキングにマーキング番号を付与するマーキング情報処理手段と、
前記マーキング情報処理手段により計数したマーキング個数情報および１つのマーキングに対応した分析ディスクの領域の再生データを１回の転送データとして転送するデータ転送手段と、
前記マーキング番号を基に各マーキングに対応した前記分析ディスクの領域の再生データを記憶装置に別々のファイルとしてファイル保存するファイル保存手段と、
前記マーキング番号に対応した各マーキングの領域に番号を目視できるように前記ピックアップから出力されるレーザのパワーを制御してマーキングの番号を分析ディスクに描画するレーザ制御手段と
を備えたことを特徴とする分析システム。
【発明の詳細な説明】
【０００１】
【発明の属する技術分野】
本発明は、分析用のディスクに液体や固体などの分析対象物をセットして回転させながら分析する分析システムに関する。
【０００２】
【従来の技術】
液体や固体などの分析対象物を分析用のディスクに固定し、このディスクを回転させて分析対象物をトレースして画像を取得することにより分析対象物を分析する分析システムは既に知られている。
【０００３】
この種の従来の分析システムとして、オーディオ信号またはビデオ信号が記録されたコンパクトディスク（以下光ディスクと呼ぶ）とこれを再生する光ディスク装置の再生機能との技術を利用して、光ディスクに血液などの固定した生物的、科学的、生化学的分析対象物をトレースすることにより血液内成分のセルカウントなどの光学検査を行う分析システムが提案されている（例えば特許文献１参照）。
【０００４】
この従来の分析システムは、図１０に示すように構成されており、分析ディスク１２を再生して分析する方法は、一般的な光ディスクドライブと同様に以下のようにして行われる。
【０００５】
分析対象物１が固定された分析ディスク１２はディスクモータ１３で回転駆動される。この分析ディスク１２にピックアップ１５によりレーザ光を照射して、その反射光を検出する。また、ディスクモータ１３及びピックアップ１５は、サーボコントロール手段（図示していない）により以下のように制御されている。
【０００６】
前記サーボコントロール手段は、ピックアップ１５の再生出力に基づいてピットもしくはグルーブなどで形成されたトラックに追従してトレースするようにピックアップ１５を駆動するとともに、分析ディスク１２のトラックに記録されているアドレス情報を検出し、線速度が一定になるようにディスクモータ１３を駆動する。
【０００７】
また、従来の分析システムにおいては、分析ディスク１２に、分析対象物１とこの分析対象物１の所在及び横幅を示すマーキング１１とを配置する。そして、前記ピックアップ１５により分析ディスク１２にレーザを照射して、反射光又は透過光を検出する（図１０は反射光を検出する場合のシステムを示している）。この際に、マーキング検出器１４でマーキング１１を検出しており、マーキング１１を検出した期間だけ、検出した反射光をデータ変換手段１６によりデータ変換し、データ変換手段１６によりデータ変換したトレースデータについてデータ分析手段３１で形状カウントなどの分析を行っている。そして、分析データまたは分析結果をデータ転送手段３２でホストコンピュータ３３に出力している。
【０００８】
【特許文献１】
特表平１０−５０４３９７号公報（第５〜７頁、第１図）
【０００９】
【発明が解決しようとする課題】
ホストコンピュータ３３で分析データを画像として分析する画像分析システムにおいては、分析対象物１の横幅即ちマーキング１１の横幅を画像の横幅として画像構築することが望まれる。ここで、画像分析システムによる分析対象物１の画像を構築し、分析する処理を画像分析処理と呼ぶ。
【００１０】
しかしながら、上記従来の分析システムにおいては、マーキング１１の検出期間だけ抽出した前記トレースデータを、ホストコンピュータ３３から要求された転送長だけデータ転送手段３２により転送するので、ホストコンピュータ３３はマーキング１１の横幅が認識できず、マーキング１１の横幅に整合した横幅の画像を構築することが困難であった。
【００１１】
また、前記画像分析システムにより分析ディスク１２に配置した分析対象物１のトレースデータをホストコンピュータ３３で画像分析するために、構築した画像をホストコンピュータ３３の記憶装置にファイル保存する必要がある。
【００１２】
しかし、従来の分析システムにおいては、複数の分析対象物１を分析ディスク１２に配置した場合、複数の分析対象物１のトレースデータを区別することなくホストコンピュータ３３に転送するため、分析対象物１をそれぞれ別々の画像ファイルに分けて保存することが困難であった。
【００１３】
また、複数の分析対象物１のトレースデータを何らかの手段により各分析対象物１を別々の画像ファイルに振り分けて保存したとしてもユーザが分析ディスク１２上の分析対象物１と画像ファイルとの対応性を目視することが困難であった。
【００１４】
本発明は、前記従来の課題を解決するもので、分析ディスクに配置した分析対象物に対して正確でかつユーザ利便性の高い画像構築を行うことができる分析システムを提供することを目的とする。
【００１５】
【課題を解決するための手段】
前記課題を解決するために、本発明の分析システムは、状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、前記マーキングの１トラック分のトレースデータにマーキングの横幅に関する横幅情報を付加するデータ処理手段と、前記マーキング横幅情報が付加されたマーキングデータを基にマーキングの横幅を画像の横幅として画像構築を行う画像処理手段と、構築された画像に基づいて前記分析対象物を分析する画像分析手段とを備えたことを特徴とする。
【００１６】
また、状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、マーキングの所在を検出するマーキング検出器の出力に基づいてマーキングの横幅を算出するマーキング情報処理手段と、前記マーキング情報処理手段からのマーキング横幅情報に基づく横幅に対応する転送長のトレースデータの転送を要求するデータ転送要求手段と、前記データ転送要求手段の要求に応じて、前記マーキング横幅情報およびホストコンピュータ要求長の前記トレースデータを転送するデータ転送手段と、前記データ転送要求手段により転送されたトレースデータである再生データを画像の１行として画像構築を行う画像処理手段と、構築された画像に基づいて前記分析対象物を分析する画像分析手段とを備えたことを特徴とする。
【００１７】
また、状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、前記分析ディスクにおける前記マーキングの個数を計数するマーキング情報処理手段と、前記マーキング情報処理手段により計数したマーキングの個数の情報であるマーキング個数情報および１つのマーキングに対応した分析ディスクの領域の再生データを１回の転送データとしてホストコンピュータに転送するデータ転送手段と、前記データ転送手段により転送された再生データを前記マーキングの個数情報に基づいて各マーキングに対応する領域ごとにホストコンピュータの記憶装置に別々のファイルとしてファイル保存するファイル保存手段とを備えたことを特徴とする。
【００１８】
また、記録領域と未記録領域でディスクの記録面の色素が変化し、視覚的に色素の変化を目視することが可能である分析ディスクに、状態分析ならびに画像分析を行う対象である分析対象物と前記分析対象物の所在ならびに横幅を示すマーキングとを配置し、前記分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、前記ピックアップの出力からアドレス情報を検出するアドレス検出手段と、前記マーキング検出器の出力により前記マーキングの個数を計数し、前記アドレス検出手段が検出したアドレス情報および前記マーキングの個数情報を基に前記マーキングにマーキング番号を付与するマーキング情報処理手段と、前記マーキング情報処理手段により計数したマーキング個数情報および１つのマーキングに対応した分析ディスクの領域の再生データを１回の転送データとして転送するデータ転送手段と、前記マーキング番号を基に各マーキングに対応した前記分析ディスクの領域の再生データを記憶装置に別々のファイルとしてファイル保存するファイル保存手段と、前記マーキング番号に対応した各マーキングの領域に番号を目視できるように前記ピックアップから出力されるレーザのパワーを制御してマーキングの番号を分析ディスクに描画するレーザ制御手段とを備えたことを特徴とする。
【００１９】
【発明の実施の形態】
請求項１に記載の分析システムは、状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、前記マーキングの１トラック分のトレースデータにマーキングの横幅に関する横幅情報を付加するデータ処理手段と、前記マーキング横幅情報が付加されたマーキングデータを基にマーキングの横幅を画像の横幅として画像構築を行う画像処理手段と、構築された画像に基づいて前記分析対象物を分析する画像分析手段とを備えたことを特徴とした分析システムであり、トレースデータにマーキングの横幅に関する横幅情報を付加されているので、マーキングの横幅を認識することができ、前記マーキングの横幅に画像の横幅を整合させた画像を構築することができる。
【００２０】
請求項２に記載の発明は、請求項１記載の分析システムにおいて、データ処理手段は、マーキングの１トラック分のトレースデータに、そのデータの開始と終了を示すデータを付加することを特徴とするものであり、トレースデータの開始と終了を示すデータからマーキングの横幅の情報を得ることができる。
【００２１】
請求項３に記載の発明は、請求項１記載の分析システムにおいて、マーキングの所在を検出するマーキング検出器の出力に基づいてマーキングの横幅を算出するマーキング情報処理手段を備え、データ処理手段は、データ変換手段により抽出したトレースデータに前記マーキング情報処理手段により得たマーキング横幅情報を付加するように構成したことを特徴とするものであり、画像処理手段でマーキング横幅情報を参照することにより、トレースデータのデータ量が認識できるため、トレースデータの計量を行わなくて済み、画像処理手段での処理時間が短縮できる。
【００２２】
請求項４に記載の発明は、請求項３に記載の分析システムにおいて、データ処理手段により、最初の１トラック分のトレースデータだけにマーキング横幅情報を付加することを特徴とするものであり、マーキングデータは最初の１トラック分のみのデータに付加するので、データ処理手段での処理が簡単で、転送データ量を削減できる。
【００２３】
請求項５に記載の分析システムは、状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、マーキングの所在を検出するマーキング検出器の出力に基づいてマーキングの横幅を算出するマーキング情報処理手段と、前記マーキング情報処理手段からのマーキング横幅情報に基づく横幅に対応する転送長のトレースデータの転送を要求するデータ転送要求手段と、前記データ転送要求手段の要求に応じて、前記マーキング横幅情報およびホストコンピュータ要求長の前記トレースデータを転送するデータ転送手段と、前記データ転送要求手段により転送されたトレースデータである再生データを画像の１行として画像構築を行う画像処理手段と、構築された画像に基づいて前記分析対象物を分析する画像分析手段とを備えたことを特徴とするものであり、予めマーキングの横幅情報をホストコンピュータが認識しておくことにより、マーキングの横幅を画像の横幅に整合させた画像構築ができ、さらに画像処理手段での画像処理が簡単化できる。
【００２４】
請求項６に記載の分析システムは、状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、マーキングの横幅情報をユーザが手動で入力可能な入力手段と、このマーキング横幅情報に基づく横幅に対応する転送長のトレースデータの転送を要求するデータ転送要求手段と、このデータ転送要求手段の要求に応じて、前記マーキング横幅情報および前記要求長の前記トレースデータを転送するデータ転送手段と、前記データ転送要求手段により転送されたトレースデータである再生データを画像の１行として画像構築を行う画像処理手段と、構築された画像に基づいて前記分析対象物を分析する画像分析手段とを備えたことを特徴とするものである。すなわち、前記請求項５に記載の分析システムにおいて、マーキング情報処理手段を設けず、ユーザが入力したマーキングの横幅情報をトレースデータの要求長としてデータ転送手段に要求することを特徴としたものであり、マーキング情報処理手段を設けないので、処理の簡単化が図れる。
【００２５】
請求項７に記載の分析システムは、状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、マーキング検出器の出力信号のマーキングを検出した時間であるマーキング検出時間を測定するマーキング情報処理手段と、前記マーキング情報処理手段からのマーキング検出時間に基づく横幅に対応する転送長のトレースデータの転送を要求するデータ転送要求手段と、前記データ転送要求手段の要求に応じて、前記マーキング横幅情報および前記要求長の前記トレースデータを転送するデータ転送手段と、前記データ転送要求手段により転送されたトレースデータである再生データを画像の１行として画像構築を行う画像処理手段と、構築された画像に基づいて前記分析対象物を分析する画像分析手段とを備えたことを特徴とするものであり、データ転送要求手段や画像処理手段をホストコンピュータに設けて、このホストコンピュータでマーキング横幅情報を計算させることで、システム全体の処理時間が短縮できる。
【００２６】
請求項８に記載の分析システムは、状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、前記分析ディスクにおける前記マーキングの個数を計数するマーキング情報処理手段と、前記マーキング情報処理手段により計数したマーキングの個数の情報であるマーキング個数情報および１つのマーキングに対応した分析ディスクの領域の再生データを１回の転送データとしてホストコンピュータに転送するデータ転送手段と、前記データ転送手段により転送された再生データを前記マーキングの個数情報に基づいて各マーキングに対応する領域ごとにホストコンピュータの記憶装置に別々のファイルとしてファイル保存するファイル保存手段とを備えたことを特徴とするものであり、前記マーキング個数情報を転送するのは１回でよいので転送データが削減でき、さらに予め前記マーキング個数情報がホストコンピュータで認識できるため、保存するファイルを予め用意でき、その後のホストコンピュータでの処理時間を短縮できる。
【００２７】
請求項９に記載の分析システムは、状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、前記分析ディスクにおける前記マーキングの個数を計数するとともにマーキングの横幅の測定を行うマーキング情報処理手段と、前記マーキング情報処理手段により計数したマーキング個数情報及びマーキングの横幅情報を転送するとともに、１つのマーキングに対応した分析ディスクの領域の再生データを１回の転送データとしてホストコンピュータに転送するデータ転送手段と、前記データ転送手段により転送された再生データを前記マーキングの個数情報に基づいて各マーキングに対応する領域ごとにホストコンピュータの記憶装置に別々のファイルとしてファイル保存するファイル保存手段とを備えたことを特徴とする。すなわち、請求項８に記載のマーキング情報処理手段の代わりにマーキングの個数の計数及びマーキングの横幅の測定を行うマーキング情報処理手段と、請求項８に記載のデータ転送手段の代わりにマーキングの個数情報及びマーキングの横幅情報をホストコンピュータに転送するデータ転送手段とを設けることを特徴としたものであり、各マーキングの横幅情報を基に各対象物の画像の横幅を各マーキングの横幅に整合することができる。
【００２８】
請求項１０に記載の分析システムは、状態分析ならびに画像分析を行う対象である分析対象物と前記分析対象物の所在ならびにディスク回転方向に対する前記分析対象物の長さである横幅を示すマーキングとを配置した分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、マーキングにその番号であるマーキング番号を付与するマーキング情報処理手段と、１つのマーキングに対応した分析ディスクの領域の再生データとマーキングのマーキング番号を１回の転送データとしてホストコンピュータへ転送するデータ転送手段と、前記データ転送手段により転送された再生データを前記マーキング番号に基づいて各マーキングに対応する領域ごとにホストコンピュータの記憶装置に別々のファイルとしてファイル保存するファイル保存手段とを備えたことを特徴とする。すなわち、請求項８に記載のマーキング情報処理手段の代わりに各マーキングの番号であるマーキング番号を付与するマーキング情報処理手段と、請求項８に記載のデータ転送手段の代わりに１つのマーキングに対応した分析ディスクの領域の再生データとマーキングのマーキング番号を１回の転送データとしてホストコンピュータへ転送するデータ転送手段とを設けることを特徴とするものであり、マーキング情報処理手段でマーキングの個数を計数しなくてよいため、処理が簡単化できる。
【００２９】
請求項１１に記載の分析システムは、記録領域と未記録領域でディスクの記録面の色素が変化し、視覚的に色素の変化を目視することが可能である分析ディスクに、状態分析ならびに画像分析を行う対象である分析対象物と前記分析対象物の所在ならびに横幅を示すマーキングとを配置し、前記分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、前記ピックアップの出力からアドレス情報を検出するアドレス検出手段と、前記マーキング検出器の出力により前記マーキングの個数を計数し、前記アドレス検出手段が検出したアドレス情報および前記マーキングの個数情報を基に前記マーキングにマーキング番号を付与するマーキング情報処理手段と、前記マーキング情報処理手段により計数したマーキング個数情報および１つのマーキングに対応した分析ディスクの領域の再生データを１回の転送データとして転送するデータ転送手段と、前記マーキング番号を基に各マーキングに対応した前記分析ディスクの領域の再生データを記憶装置に別々のファイルとしてファイル保存するファイル保存手段と、前記マーキング番号に対応した各マーキングの領域に番号を目視できるように前記ピックアップから出力されるレーザのパワーを制御してマーキングの番号を分析ディスクに描画するレーザ制御手段とを備えたことを特徴とするものであり、分析対象物と画像を保存したファイルである画像ファイルとの対応性をユーザが目視できる。
【００３０】
請求項１２に記載の発明は、請求項１１に記載の分析システムにおいて、レーザ制御手段は、マーキング番号に対応した最初のマーキングの領域のみに番号を目視できるようにピックアップから出力されるレーザのパワーを制御してマーキングの番号を分析ディスクに描画することを特徴とするものであり、マーキング番号を目視できるように対応するマーキングの領域にデータを記録するマーキング番号描画は１箇所にのみ行うので処理時間の短縮が図れる。
【００３１】
請求項１３に記載の分析システムは、記録領域と未記録領域でディスクの記録面の色素が変化し、視覚的に色素の変化を目視することが可能である分析ディスクに、状態分析ならびに画像分析を行う対象である分析対象物と前記分析対象物の所在ならびに横幅を示すマーキングとを配置し、前記分析ディスクを回転させるディスクモータと、前記マーキングの所在を検出するマーキング検出器と、前記分析ディスクに光を照射する照射手段と、前記分析ディスクのトレースを行うトレース手段と、前記トレース手段により検出した反射光または透過光を前記マーキング検出器の出力によって前記マーキングを検出した期間だけデータ変換してトレースデータを得るデータ変換手段と、前記ピックアップの出力からアドレス情報を検出するアドレス検出手段と、前記ディスクモータのＦｒｅｑｕｅｎｃｙ  Ｇｅｎｅｒａｔｏｒ信号を基に前記マーキングにマーキング番号を付与するマーキング情報処理手段と、前記マーキング情報処理手段により計数したマーキング個数情報および１つのマーキングに対応した分析ディスクの領域の再生データを１回の転送データとして転送するデータ転送手段と、前記マーキング番号を基に各マーキングに対応した前記分析ディスクの領域の再生データを記憶装置に別々のファイルとしてファイル保存するファイル保存手段と、前記マーキング番号に対応した各マーキングの領域に番号を目視できるように前記ピックアップから出力されるレーザのパワーを制御してマーキングの番号を分析ディスクに描画するレーザ制御手段とを備えたことを特徴とする。すなわち、請求項１１に記載のマーキング情報処理手段の代わりにＦｒｅｑｕｅｎｃｙ  Ｇｅｎｅｒａｔｏｒ信号を基に前記マーキング番号を付与するマーキング情報処理手段を設けることを特徴としたものであり、マーキング番号描画処理開始後はマーキング番号を描画するための基準アドレスを検出する必要がないため、任意のトラックからマーキング番号描画処理を開始でき、ユーザの可視性を高めることができる。
【００３２】
以下、本発明の実施の形態について、図１から図９を用いて説明する。
（実施の形態）
以下に、本発明に係る第１の実施の形態について、図１から図３を用いて説明する。
【００３３】
図１にこの実施の形態における分析システムの構成を示す。分析システムは、分析装置１０とホストコンピュータ２０とからなる。
図１に示すように、分析装置１０は、分析対象物１及びマーキング１１を配置した分析ディスク１２を回転させるディスクモータ１３と、分析ディスク１２に配置されたマーキング１１の所在を検出するマーキング検出器１４と、分析ディスク１２のトレース及びレーザ照射を行うトレース手段および照射手段の両方の機能を有するピックアップ１５と、ピックアップ１５によりレーザ照射して検出した反射光のデータ変換を行うデータ変換手段１６と、マーキング検出器１４からのマーキングの検出信号であるマーキング検出信号をもとにデータ変換手段１６でのデータ変換処理の一時中断及び再開を制御し、マーキング１１を検出した期間だけデータ変換手段１６でデータ変換処理を行わせるマーキング情報処理手段１７と、データ変換手段１６でデータ変換したデータであるトレースデータのデータ処理を行うデータ処理手段１８と、データ処理手段１８でデータ処理されたデータをホストコンピュータ２０に転送するデータ転送手段１９とから構成される。また、ホストコンピュータ２０には、データ転送手段１９により転送されたデータをもとに画像構築を行う画像処理手段２１と、データ転送手段１９にデータの転送要求を出すデータ転送要求手段２２と、画像処理手段２１により構築された画像に基づいて分析対象物１を分析する画像分析手段２３とが設けられている。
【００３４】
以上のように構成された分析システムの動作及び作用を説明する。
ディスクモータ１３により回転される分析ディスク１２に対して、ピックアップ１５によりトレースしながらレーザ照射を行う。
【００３５】
マーキング検出器１４により検出したマーキング検出信号をマーキング情報処理手段１７に出力し、マーキング１１の開始を示すマーキング開始信号を検出したら、ピックアップ１５によりレーザ照射して検出した反射光のデータ変換をデータ変換手段１６により開始させ、マーキング１１の終了を示すマーキング終了信号を検出したら、データ変換手段１６にデータ変換を一時中断させる。これを繰り返しながら、マーキング検出期間だけデータ変換したデータであるトレースデータをデータ処理手段１８に抽出して出力する。
【００３６】
データ処理手段１８は、トレースデータが入力されると同時にマーキング１１の開始を示すデータであるスタートデータをトレースデータの先頭に付加し、トレースデータの入力が一時中断すると同時にマーキング１１の終了を示すデータであるエンドデータをトレースデータの最後に付加してデータ転送手段１９に出力する。
【００３７】
以上のようなデータのデータ形式を図２に示す。データの先頭からスタートデータ、トレースデータ、エンドデータの順に構成する（以下この３つのデータを総称して再生データと呼ぶ）。
【００３８】
データ転送手段１９は、データ転送要求手段２２から再生データのホストコンピュータ２０への転送を要求されると、データ転送要求手段２２の要求転送長だけデータ転送を行う。
【００３９】
図３は画像処理手段２１での画像処理を示すフローチャートである。
ここでは説明の簡単化のために画像を保存するファイル形式の１つであるビットマップ形式で画像ファイルを作成する画像処理を例に挙げて説明する。ビットマップ形式は画像の横幅をバイト単位でヘッダデータとして記録しておくことにより画像データをヘッダデータの横幅に揃えて画像を構築するファイル形式である。
【００４０】
画像処理を開始する（ステップＳ３０１（以下、ステップＳ３０１等を単にＳ３０１と略して説明するとともに図示する））と、まず、転送された再生データの先頭からデータを走査し（Ｓ３０２）、スタートデータの検出動作を行う（Ｓ３０３）。スタートデータを検出したら、スタートデータの次のデータからファイルに保存しながら（Ｓ３０４）、データ量を計量する（Ｓ３０５）。次に、エンドデータの検出動作を行い（Ｓ３０６）、エンドデータを検出したらデータの保存を終了し（Ｓ３０７）、保存したデータが再生データの最初の１トラック目に相当するデータかどうかを判定する（Ｓ３０８）。保存したデータが再生データの最初の１トラック目に相当するデータであるならば、そのときのデータ量を基準データ量として保存しておく（Ｓ３０９）。
【００４１】
次に再生データをすべて走査し終えたかどうかを判定する（Ｓ３１３）。まだ再生データが残っていれば、上記したＳ３０２からＳ３０８までの処理を行い、Ｓ３０８で、１トラック目以降のデータのエンドデータを検出したら、そのときに保存したデータ量と基準データ量とを比較し（Ｓ３１０）、基準データ量以下なら差分を特定データでデータ補間し（Ｓ３１１）、保存したデータ量が基準データより大きければ差分のデータを切り捨てる（Ｓ３１２）。全ての再生データに対してこれらの処理を行ったら（Ｓ３１３）、最後に基準データ量を画像の横幅としてヘッダデータに記録し（Ｓ３１４）、画像処理を終了する（Ｓ３１５）。
【００４２】
このようにトレースデータにスタートデータとエンドデータとを付加してホストコンピュータ２０に転送することにより、画像の横幅とマーキング１１の横幅とを整合させた画像を構築することができる。
【００４３】
そして、このようにして構築された画像に基づいて、画像分析手段２３により分析対象物１を良好に分析することができる。
本発明に係る第２の実施の形態について、図１を用いて説明する。
【００４４】
この実施の形態では、マーキング情報処理手段１７で、前記マーキングデータの代わりに、マーキング検出器１４の出力により計算したマーキング横幅情報をトレースデータに付加して、データ転送手段１９によりホストコンピュータ２０に転送するものである。すなわち、マーキング情報処理手段１７でマーキング検出器１４から出力されるマーキング検出信号のマーキングを検出した期間であるマーキング検出期間を測定して、マーキング検出期間とそのときの分析ディスク１２の回転数とからマーキング１１の横幅を計算し、このマーキング横幅情報をデータ処理手段１８に転送するように構成されている。このマーキング１１の横幅を計算する方法をマーキング横幅計算方法と呼ぶ。この際、同時にデータ変換手段１６からのトレースデータはデータ処理手段１８により抽出されており、トレースデータの抽出が一時中断したらマーキング横幅情報をトレースデータの最後に付加して、データ転送要求手段２２により要求されたデータ長だけデータ転送手段１９でトレースデータ及びマーキング横幅情報をホストコンピュータ２０に転送する。
【００４５】
このようにマーキング横幅情報をトレースデータに付加してホストコンピュータ２０に転送し、画像処理手段２１でマーキング横幅情報を参照することにより、トレースデータのデータ量が認識できるため、トレースデータの計量を行わなくて済み、画像処理手段２１での処理時間が短縮できる。また、ビットマップ形式の他に画像の１行ごとに横幅を管理し、画像構築する画像ファイル形式により画像を構築する画像ファイル形式で保存する場合は、各トレースデータに対応する横幅で管理することにより、より正確な領域の画像を構築することができる。
【００４６】
次に、本発明に係る第３の発明の実施の形態について、図１を用いて説明する。
この実施の形態では、前記マーキング横幅情報を、最初の１トラック分のマーキング１１に相当するトレースデータにのみ付加している。つまり、各マーキング１１とも最初の１トラック分の横幅情報だけを得ることにより、画像処理手段２１で各マーキング１１の最初の１トラック目のトレースデータ量を認識し、各マーキング１１の１トラック目以降のトレースデータ量も１トラック目のトレースデータ量と同じとして画像構築する。
【００４７】
この構成によれば、最初の１トラック分のマーキング１１の横幅だけを検出するだけで済むので、データ処理手段１８での処理時間が短縮でき、分析装置１０からホストコンピュータ２０への転送データの削減も図れる。
【００４８】
以下に、本発明に係る第４の実施の形態について、図４を用いて説明する。
この実施の形態では、図４に示すように、分析システムの分析装置１０において、トレースデータに１トラック分のトレースデータの開始と終了を示すデータであるマーキングデータやマーキング横幅情報を付加する図１に示すようなデータ処理手段１８を設けず、マーキング情報処理手段１７の出力結果をデータ転送手段１９に転送するために両者を接続しているところと、ディスクモータ１３からのＦｒｅｑｕｅｎｃｙ  Ｇｅｎｅｒａｔｏｒ信号（以下、ＦＧ信号と称す）出力をマーキング情報処理手段１７で検出するために両者を接続したところが上記第１〜第３の実施の形態と違うところである。
【００４９】
以上のように構成された分析システムにおいて、動作及び作用を説明する。
まず、画像分析処理を開始する前にホストコンピュータ２０がデータ転送要求手段２２によりマーキング横幅情報の転送を分析装置１０に要求する。分析装置１０では、上記第２の実施の形態と同様にマーキング検出器１４の出力により計算するマーキング横幅計算方法により得たマーキング横幅情報をデータ転送手段１９に転送し、データ転送手段１９はホストコンピュータ２０にマーキング横幅情報を転送する。
【００５０】
次に画像分析処理を開始すると、ホストコンピュータ２０では、マーキング横幅情報をバイト単位に変換した要求転送長をデータ転送要求手段２２によりデータ転送手段１９に要求する。すなわち、予めマーキング１１の横幅情報をホストコンピュータ２０により認識しておく。
【００５１】
分析装置１０では、まず、ディスクモータ１３により回転させられる分析ディスク１２にピックアップ１５によりトレースしながらレーザ照射を行う。
マーキング検出器１４により検出したマーキング検出信号をマーキング情報処理手段１７に出力し、マーキング１１の開始を示すマーキング開始信号を検出したらデータ変換手段１６にピックアップ１５によりレーザ照射して検出した反射光のデータ変換を行わせる。マーキング検出信号のマーキング１１の終了を示すマーキング終了信号を検出したらデータ変換手段１６にデータ変換を一時中断させる。これを繰り返しながら、マーキング検出期間だけデータ変換したデータであるトレースデータをデータ転送手段１９に抽出する。このようにして抽出したトレースデータをデータ転送要求手段２２からのマーキング横幅情報をバイト単位に変換した要求転送長だけデータ転送を行う。
【００５２】
画像処理手段２１では、転送されてくるトレースデータをファイル保存し、マーキング横幅情報をバイト単位に変換した要求転送長を横幅としてビットマップファイルのヘッダに記録することにより画像構築を行う。
【００５３】
このように予めマーキング１１の横幅情報をホストコンピュータ２０により認識させておくことにより、マーキング１１の横幅を画像の横幅に整合させた画像構築ができ、さらに画像処理手段２１での画像処理が簡単化できる。
【００５４】
本発明に係る第５の実施の形態について、図５を用いて説明する。
この実施の形態においては、マーキング１１の横幅情報をユーザがホストコンピュータ２０に設けられた入力手段２４から入力できる構成にしておき、ユーザから入力されたマーキング横幅情報をバイト単位に変換した要求転送長をデータ転送要求手段２２がデータ転送手段１９に要求し、データ転送を行うものである。
【００５５】
この構成によれば、ユーザから入力されたマーキング１１の横幅情報から要求転送長をホストコンピュータ２０で計算し、データ転送を行うことにより、上記第４の実施の形態と同様に、マーキング１１の横幅を画像の横幅に整合させた画像構築ができる。また、この構成によれば、図４に示すようなマーキング情報処理手段１７を設けなくて済むので、処理の簡単化が図れる。
【００５６】
本発明に係る第６の実施の形態について、図４を用いて説明する。
この実施の形態では、画像分析処理を開始する前にホストコンピュータ２０のデータ転送要求手段２２によりマーキング横幅情報の転送を分析装置１０が要求されたときに、マーキング情報処理手段１７でマーキング１１の横幅を計算せずに、マーキング検出器１４からの信号即ちマーキング１１を検出した時間であるマーキング検出時間をデータ転送手段１９に転送し、ホストコンピュータ２０でマーキング１１の横幅情報を計算し、さらにマーキング横幅情報をバイト単位に変換した要求転送長をデータ転送要求手段２２がデータ転送手段１９に要求し、データ転送を行うものである。
【００５７】
このように予め画像分析処理を開始する前に、ホストコンピュータ２０にマーキング検出時間を転送することにより、ホストコンピュータ２０でマーキング横幅情報を計算するため、分析システム全体の処理時間が短縮できる。
【００５８】
次に、本発明に係る第７の実施の形態について、図６、図７を用いて説明する。
図６に示すように、この実施の形態は、分析ディスク１２に複数の分析対象物１及びマーキング１１を配置したところと、ディスクモータ１３からのＦＧ信号出力をマーキング情報処理手段１７で検出するために両者を接続したところと、ホストコンピュータ２０にファイル保存手段２５を設けたところとが上記第１の実施の形態と違うところである。
【００５９】
以上のように構成された分析システムにおいて、動作及び作用を説明する。
まず、画像分析処理を開始する前に、ホストコンピュータ２０がデータ転送要求手段２２によりマーキング個数情報の転送を分析装置１０に要求する。分析装置１０内では、マーキング検出器１４からの信号をマーキング情報処理手段１７に出力し、マーキング情報処理手段１７でマーキング１１の個数を計数する。
【００６０】
以下、マーキング１１の個数を計数するマーキング個数計数方法を、図７を用いて説明する。図７はマーキング情報処理手段１７におけるマーキング検出器１４からの出力信号およびディスクモータ１３からの信号を元に生成されたＦＧ信号のタイミングチャートを示したものである。ここでは、ディスク１回転でＦＧ信号が６周期発生する場合を示しており、６周期のうち１周期のＦＧ信号を基準ＦＧ信号として、基準ＦＧ信号を検出することによりディスクが１回転したことを認識している。図７に示したＦＧ信号のタイミングチャートのうち太線で示した信号が基準ＦＧ信号である。基準ＦＧ信号を検出してから次の基準ＦＧ信号を検出するまでにマーキング検出器１４から出力されるマーキング検出信号を計数する。図７に示す場合におけるマーキング１１の個数は３個である。
【００６１】
以上のように計数したマーキング個数情報をデータ転送手段１９に転送し、データ転送手段１９はホストコンピュータ２０にマーキング個数情報を転送する。ホストコンピュータ２０では、転送されたマーキング個数情報をもとにトレースデータを保存する保存ファイルをマーキング１１の個数分用意しておき、マーキング個数情報を保存しておく。保存ファイルは説明の簡単化のために１番から順に番号を振っておく。
【００６２】
また、データ転送要求手段２２からの要求転送長を予め決定しておき、データ処理手段１８でその要求転送長を保存しておく。
次に画像分析処理を開始すると、分析装置１０は、ディスクモータ１３により回転させられる分析ディスク１２にピックアップ１５によりトレースしながらレーザ照射を行う。
【００６３】
一方、マーキング検出器１４により検出したマーキング検出信号をマーキング情報処理手段１７に出力し、マーキング１１の開始を示すマーキング開始信号を検出したらデータ変換手段１６にピックアップ１５によりレーザ照射して検出した反射光のデータ変換を行わせる。マーキング検出信号のマーキング１１の終了を示すマーキング終了信号を検出したらデータ変換手段１６にデータ変換を一時中断させる。これを繰り返しながら、マーキング検出期間だけデータ変換したデータであるトレースデータをデータ処理手段１８に抽出する。データ処理手段１８では、１回の転送長が予め保存しておいたデータ転送要求手段２２からの要求転送長と等しくなるように１つのマーキング１１の１トラック分のトレースデータ即ちデータ変換手段１６から抽出される１回分のトレースデータである１トラックデータを特定データで補間するデータ補間を行う。例えば予め要求転送長を３２ＫＢｙｔｅと決定しておいた場合、１トラックデータが２０ＫＢｙｔｅなら残りの１２ＫＢｙｔｅを特定データで補間する。
【００６４】
このようにしてデータ処理した要求転送長のトレースデータをデータ転送手段１９によりホストコンピュータ２０にデータ転送する。
ホストコンピュータ２０では、画像分析処理の開始後、最初に転送されたトレースデータを１番目の保存ファイルに保存し、次に転送されたトレースデータを２番目の保存ファイルに保存するという処理を、予め保存しておいたマーキング１１の個数分だけ繰り返し、データ転送回数がマーキング１１の個数を超えたら、またトレースデータを１番目の保存ファイルに保存するという処理を繰り返す。例えば分析ディスク１２にマーキング１１が３個配置されている場合は、１回目の転送データは１番目のファイルに保存、２回目の転送データは２番目のファイルに保存、３回目の転送データは３番目のファイルに保存、４回目の転送データは１番目のファイルに保存、５回目の転送データは２番目のファイルに保存というように繰り返し、ファイル保存処理を行う。以上の処理を後の説明の便宜上、マーキング個数情報事前取得による画像ファイル分割処理と呼ぶ。
【００６５】
このように予めマーキング個数情報をホストコンピュータ２０が認識しておくことにより、分析ディスク１２に複数の分析対象物１及びマーキング１１を配置した場合に、各マーキング１１が示す領域に対応するトレースデータを別々のファイルに保存することができ、ユーザの利便性の向上を図ることができる。
【００６６】
また、前記マーキング個数情報を転送するのは１回でよいので転送データが削減でき、さらに予め前記マーキング個数情報がホストコンピュータ２０で認識できるため、ホストコンピュータ２０で保存するファイルを予め用意できて、その後のホストコンピュータ２０での処理時間を短縮できる。
【００６７】
本発明に係る第８の実施の形態について、図６を用いて説明する。
この実施の形態は、画像分析処理を開始する前に、ホストコンピュータ２０がデータ転送要求手段２２によりマーキング個数情報及びマーキング横幅情報の転送を分析装置１０に要求するものである。
【００６８】
マーキング個数情報は上記第７の実施の形態で示したマーキング個数計数方法により計数し、マーキング横幅情報は上記第２の実施の形態で示したマーキング横幅計算方法により計算する。以上のように計数及び計算し、転送したマーキング個数情報及びマーキング横幅情報を予めホストコンピュータ２０が認識しておくことにより、データ転送要求手段２２からの要求転送長を予め決定しておき、データ処理手段１８でデータ補間処理を行う必要がなく、データ転送要求手段２２からマーキング横幅情報をバイト単位に変換した要求転送長でデータ転送を要求して、ファイル保存手段２５において上記のようなファイル保存処理を行うことにより、各マーキング１１が示す領域に対応するトレースデータを別々のファイルに保存することができ、さらに各ファイルにおいてマーキング１１の横幅を画像の横幅に整合させた画像構築ができる。
【００６９】
本発明に係る第９の実施の形態について、図６を用いて説明する。
この実施の形態は、予めマーキング１１の横幅情報をホストコンピュータ２０が認識しておく代わりに、各１トラックデータの先頭にマーキング番号を付加してホストコンピュータ２０に転送するものである。
【００７０】
以下、マーキング番号を付加するマーキング番号付加処理について説明する。ディスクモータ１３からマーキング情報処理手段１７に出力されるＦＧ信号を検出してから最初にマーキング検出器１４でマーキング検出信号を検出したマーキングを１番目とした番号情報をデータ処理手段１８に転送する。このとき同時に、ピックアップ１５により検出した反射光又は透過光をデータ変換手段１６により変換し、マーキング検出期間だけデータ変換したデータであるトレースデータをデータ転送手段１９に抽出している。このように抽出されたトレースデータの先頭にデータ処理手段１８で、マーキング情報処理手段１７から転送されたマーキング番号情報を付加し、データ転送手段１９によりホストコンピュータ２０に転送する。次にマーキング検出器１４でマーキング検出信号を検出したマーキングを２番目、次に検出したマーキングを３番目というようにマーキング番号を付加してホストコンピュータ２０に転送する。
【００７１】
以上のように１トラックデータの先頭にマーキング番号を付加してホストコンピュータ２０に転送し、ファイル保存手段２５ではマーキング番号に対応した保存ファイルを作成し、保存する。例えば、マーキング番号が１番のトレースデータは１番目のファイルに保存、マーキング番号が２番のトレースデータは２番目のファイルに保存する。
【００７２】
以上のように１トラックデータの先頭にマーキング番号を付加してホストコンピュータ２０に転送し、ファイル保存手段２５でマーキング番号に対応した保存ファイルにトレースデータを保存することにより、マーキング情報処理手段１７でマーキングの個数を計数しなくてよいため処理の簡単化が図れる。
【００７３】
以下に、本発明に係る第１０の実施の形態について、図８、図９を用いて説明する。
図８に示すように、この実施の形態の分析システムにおいては、以下の点で第１の実施の形態と異なる。すなわち、この分析システムにおいては、ピックアップ１５のレーザ制御を行うレーザ制御手段２６と、ピックアップ１５が読み取った分析ディスク１２のアドレス情報を検出するアドレス検出手段２７と、レーザ制御手段２６とアドレス検出手段２７とが検出したアドレス情報によりデータ変換手段１６を制御するマイクロコンピュータ（以下、マイコンと称す）２８とを設け、マイコン２８にマーキング検出器１４からマーキング検出信号を出力するために両者を接続し、ディスクモータ１３からのＦＧ信号出力をマーキング情報処理手段１７で検出するために両者を接続し、ホストコンピュータ２０にファイル保存手段２５を設けている。
【００７４】
以上のように構成された分析システムにおいて、動作及び作用を説明する。
上記第７の実施の形態に記載のマーキング個数情報事前取得による画像ファイル分割処理において、画像分析処理を開始した直後に以下の動作を行うところが前記マーキング個数情報事前取得による画像ファイル分割処理と違うところである。
【００７５】
まず、マーキング番号を付与するための基準となるアドレスである基準アドレスを予めマイコン２８で設定しておく。画像分析処理を開始した直後に、基準アドレス付近でかつ基準アドレスより内周の位置までピックアップ１５を移動させ、基準アドレスを検出するまでアドレス検出手段２７により検出したアドレスをマイコン２８で監視する。基準アドレスを検出してからマーキング検出器１４により最初にマーキングを検出したら、データ変換手段１６でのデータ変換を開始する。以降、マーキング個数情報事前取得による画像ファイル分割処理と同様の処理を行い、各マーキング１１が示す領域に対応するトレースデータを別々のファイルに保存するファイル保存処理を行う。
【００７６】
ここまでの画像分析処理が終了すると、次に、マーキング番号描画処理に移行する。以下、マーキング番号描画処理について詳細に説明する。
画像分析処理が終了するとまず、基準アドレス付近でかつ基準アドレスより内周の位置まで再びピックアップ１５を移動させ、トレースを開始する。また、予め図９に示すような視覚的に数字を表すマトリクスを作成し、分析ディスク１２に配置できる最大マーキング数だけマイコン２８に用意しておく。アドレス検出手段２７により基準アドレスを検出したら、次にマーキング検出器１４によりマーキング１１を検出するまで待つ。マーキング検出器１４によりマーキングを検出したら予め用意しておいたマトリクスに従ってレーザ制御手段２６によりピックアップ１５のレーザパワーを制御し、分析ディスク１２のマーキング１１に対応する領域に数字を描画する。
【００７７】
図９を用いてマーキング１１が２つ配置されている場合のマーキング番号描画処理を説明する。マーキング番号描画処理を開始して、最初にマーキング検出信号を検出したら、図９（ａ）に示した１を表すマトリクスの描画開始トラックｎのマトリクス行に従って、レーザパワーを制御する。次にマーキング検出信号を検出したら図９（ｂ）に示した１を表すマトリクスの描画開始トラックｎのマトリクス行に従って、レーザパワーを制御する。次にマーキング検出信号を検出したら図９（ａ）に示した１を表すマトリクスのトラックｎ+１のマトリクス行に従って、レーザパワーを制御する。これを繰り返してマーキング番号描画処理を行う。なお、図９における０は再生時のレーザパワーである再生パワーの部分、１は記録時のレーザパワーである記録パワーの部分を示す。
【００７８】
以上のように複数のマーキング１１を配置した分析ディスク１２において、アドレス検出手段２７により検出した基準アドレスに基づいてマーキング個数情報事前取得による画像ファイル分割処理を行った後に、分析ディスク１２上の各マーキング１１に対応する領域にマーキング番号を描画することにより、ユーザが分析ディスク１２上の分析対象物１と画像ファイルとの対応性を目視することができる。
【００７９】
本発明に係る第１１の実施の形態について、図８を用いて説明する。
この実施の形態では、最初のマーキング１１に対応する領域にのみマーキング番号描画処理を行うものである。その場合、マーキング番号描画処理開始後、基準アドレスを検出して、最初にマーキング検出信号を検出した時と、マーキング１１の個数の倍数回目にマーキング検出信号を検出した時に予め用意しておいたマトリクスに従ってレーザを照射する。
【００８０】
以上のように、最初のマーキング１１に対応する領域にのみマーキング番号描画処理を行うことにより、マーキング番号描画処理の処理時間を短縮することができる。
【００８１】
本発明に係る第１２の実施の形態について、図８を用いて説明する。
この実施の形態では、アドレス検出手段２７を設けずに、ＦＧ信号に基づいてマーキング個数情報事前取得による画像ファイル分割処理を行った後に、分析ディスク１２上の各マーキング１１に対応する領域にマーキング番号を描画するものである。その場合、基準のＦＧ信号を検出したら、マーキング個数情報事前取得による画像ファイル分割処理を開始し、マーキング個数情報事前取得による画像ファイル分割処理が終了しても、ＦＧ信号のカウントを継続し、マーキング番号描画処理に移行する。マーキング番号描画処理を開始し、基準ＦＧ信号を検出して最初にマーキング検出信号を検出した領域に１を表すマトリクスに従ってレーザを制御してその後は前記したマーキング番号描画処理と同様の処理を行う。
【００８２】
以上のように、アドレス検出手段２７を設けずに、ＦＧ信号に基づいてマーキング個数情報事前取得による画像ファイル分割処理を行った後に、分析ディスク１２上の各マーキング１１に対応する領域にマーキング番号を描画することにより、マーキング番号描画処理開始後はマーキング番号を描画するための基準アドレスを検出する必要がないため、任意のトラックからマーキング番号描画処理を開始できるので、ユーザの可視性を高めることができる。
【００８３】
【発明の効果】
以上のように本発明によれば、トレースデータに、そのデータの開始と終了を示すデータを付加することなどにより、マーキングの横幅に関する横幅情報を付加して出力し、このマーキング横幅情報が付加されたマーキングデータを基にマーキングの横幅を画像の横幅として画像構築を行うことにより、マーキングの横幅を認識することができて、前記マーキングの横幅に画像の横幅を整合させた画像を構築することができる。
【００８４】
また、マーキングの所在を検出するマーキング検出器の出力に基づいてマーキングの横幅を算出し、このマーキング横幅情報を付加することにより、トレースデータのデータ量が認識できるため、トレースデータの計量を行わなくて済み、画像処理手段での処理時間が短縮できる。
【００８５】
また、最初の１トラック分のトレースデータだけにマーキング横幅情報を付加することにより、データ処理手段での処理が簡単となって、転送データ量を削減できる。
【００８６】
また、マーキングの所在を検出するマーキング検出器の出力に基づいてマーキングの横幅を算出し、マーキング横幅情報に基づく横幅に対応する転送長のトレースデータを転送させることにより、マーキングの横幅を画像の横幅に整合させた画像構築ができ、さらに画像処理手段での画像処理が簡単化できる。
【００８７】
また、マーキングの横幅情報をユーザが手動で入力可能とし、このマーキング横幅情報に基づく横幅に対応する転送長のトレースデータを転送させることにより、マーキング情報処理手段を設けなくても済んで、処理の簡単化が図れる。
【００８８】
また、マーキング検出時間に基づく横幅に対応する転送長のトレースデータの転送を要求して、マーキング横幅情報をホストコンピュータで計算させることで、システム全体の処理時間が短縮できる。
【００８９】
さらに、分析ディスクにおける前記マーキングの個数を計数し、計数したマーキングの個数の情報であるマーキング個数情報および１つのマーキングに対応した分析ディスクの領域の再生データを１回の転送データとしてホストコンピュータに転送し、マーキングの個数情報に基づいて各マーキングに対応する領域ごとに別々のファイルとしてファイル保存することにより、マーキング個数情報を転送するのは１回でよいので転送データが削減でき、さらに予め前記マーキング個数情報がホストコンピュータで認識できるため、保存するファイルを予め用意でき、その後のホストコンピュータでの処理時間を短縮できる。
【００９０】
また、分析ディスクにおける前記マーキングの個数を計数するとともにマーキングの横幅の測定を行い、計数したマーキング個数情報及びマーキングの横幅情報を転送するとともに、１つのマーキングに対応した分析ディスクの領域の再生データを１回の転送データとしてホストコンピュータに転送して、画像を構築することにより、各マーキングの横幅情報を基に各対象物の画像の横幅を各マーキングの横幅に整合することができる。
【００９１】
また、マーキングにその番号であるマーキング番号を付与し、１つのマーキングに対応した分析ディスクの領域の再生データとマーキングのマーキング番号を１回の転送データとしてホストコンピュータへ転送して、画像を構築することにより、マーキングの個数を計数しなくてよいため、処理が簡単化できる。
【００９２】
また、記録領域と未記録領域でディスクの記録面の色素が変化し、視覚的に色素の変化を目視することが可能である分析ディスクを用いて、アドレス情報およびマーキングの個数情報を基に前記マーキングにマーキング番号を付与し、マーキング番号に対応した各マーキングの領域に番号を目視できるようにマーキングの番号を分析ディスクに描画することにより、分析対象物と画像を保存したファイルである画像ファイルとの対応性をユーザが目視できる。
【００９３】
また、マーキング番号に対応した最初のマーキングの領域のみに番号を目視できるようにピックアップから出力されるレーザのパワーを制御してマーキングの番号を分析ディスクに描画することにより、マーキングの領域にデータを記録するマーキング番号描画を１箇所で済ますことができて、処理時間の短縮が図れる。
【００９４】
また、Ｆｒｅｑｕｅｎｃｙ  Ｇｅｎｅｒａｔｏｒ信号を基にマーキング番号を付与することにより、マーキング番号描画処理開始後はマーキング番号を描画するための基準アドレスを検出する必要がなくなり、任意のトラックからマーキング番号描画処理を開始でき、ユーザの可視性を高めることができる。
【図面の簡単な説明】
【図１】本発明の第１〜第３の実施の形態に係る分析システムの構成を示すブロック図
【図２】本発明の第１の実施の形態に係る分析システムの転送データの構成を示す図
【図３】同第１の実施の形態に係る分析システムの画像処理のフローチャート
【図４】本発明の第４および第６の実施の形態に係る分析システムの構成を示すブロック図
【図５】本発明の第５の実施の形態に係る分析システムの構成を示すブロック図
【図６】本発明の第７〜第９の実施の形態に係る分析システムの構成を示すブロック図
【図７】本発明の第７の実施の形態に係る分析システムにおけるＦＧ信号とマーキング検出器の出力信号のタイミングチャート
【図８】本発明の第１０〜第１２の実施の形態に係る分析システムの構成を示すブロック図
【図９】（ａ）および（ｂ）はそれぞれ本発明の第１０の実施の形態に係る分析システムにおけるレーザ制御マトリクスを示す図
【図１０】従来の分析システムの構成を示すブロック図
【符号の説明】
１        分析対象物
１０      分析装置
１１      マーキング
１２      分析ディスク
１３      ディスクモータ
１４      マーキング検出器
１５      ピックアップ（トレース手段，照射手段）
１６      データ変換手段
１７      マーキング情報処理手段
１８      データ処理手段
１９      データ転送手段
２０      ホストコンピュータ
２１      画像処理手段
２２      データ転送要求手段
２３      画像分析手段
２４      入力手段
２５      ファイル保存手段
２６      レーザ制御手段
２７      アドレス検出手段
２８      マイクロコンピュータ
【図１】
2004198267.tif 000003
【図２】
2004198267.tif 000004
【図３】
2004198267.tif 000005
【図４】
2004198267.tif 000006
【図５】
2004198267.tif 000007
【図６】
2004198267.tif 000008
【図７】
2004198267.tif 000009
【図８】
2004198267.tif 000010
【図９】
2004198267.tif 000011
【図１０】
2004198267.tif 000012